(57)【要約】      （修正有）【課題】従来品よりコンパクトに折り畳むことができ、これにより従来品に比べて狭いスペースでの保管が可能で、かつ輸送コストも削減できる階層式折畳ペットケージを提供する。【解決手段】階層式折畳ペットケージ１０は、底板１１、天板１２、各階を構成する複数の部分ケージ１３Ａ〜１３Ｃ、隣接する部分ケージの間に配置された棚板１５Ａ，１５Ｂを備える。部分ケージは、出入口１６に扉１７が付いた前柵板１８、後柵板１９、左柵板２０、右柵板２１の隣接する各端部同士をヒンジで連結した矩形状の柵体で、左柵板２０は、横方向の中間位置でヒンジ連結した２枚の左柵部分板２３を有し、右柵板２１は、横方向の中間位置でヒンジ連結した２枚の右柵部分板２４を有し、底板１１、天板１２、各部分ケージ１３Ａ〜１３Ｃおよび棚板１５Ａ，１５Ｂは、組立分解可能に連結されている。【選択図】図１
0003217349.tif 000002
【実用新案登録請求の範囲】
【請求項１】
底板と、天板と、各階を構成する複数の部分ケージと、隣接するこれらの部分ケージの間に配置された棚板とを備え、
前記部分ケージは、前記ペットの出入口に扉が設けられた前柵板と、後柵板と、左柵板と、右柵板との隣接する各端部同士をそれぞれヒンジ連結した矩形状の柵体で、
前記左柵板は、横方向の中間位置で折り畳み自在にヒンジ連結された２枚の左柵部分板を有し、
前記右柵板は、横方向の中間位置で折り畳み自在にヒンジ連結された２枚の右柵部分板を有し、
前記底板、前記天板、前記各部分ケージおよび前記棚板は、それぞれ組立分解可能に連結されたことを特徴とする階層式折畳ペットケージ。
【請求項２】
前記棚板には、前記ペットの上り下り用の通行穴が形成されたことを特徴とする請求項１に記載の階層式折畳ペットケージ。
【請求項３】
前記部分ケージは、ペットサークルとして単体使用可能な構成を有したことを特徴とする請求項１に記載の階層式折畳ペットケージ。
【考案の詳細な説明】
【技術分野】
【０００１】
本考案は、折り畳みが可能な階層式のペットケージに関する。
【背景技術】
【０００２】
従来、３階式の折畳キャットケージ（階層式折畳ペットケージ）として、例えば、非特許文献１に記載されたものなどが知られている。これは、各階を構成する左右の柵板が一括して縦長に２つ折れする構造を有している。２つ折れすることで、キャットケージをコンパクトに保管および輸送することができる。
【先行技術文献】
【特許文献】
【０００３】
【非特許文献１】［平成３０年５月１０日検索］、インターネット＜URL：https://item.rakuten.co.jp/qick/s7br/?s-id=rk_shop_pc_rnkInShop＞
【考案の開示】
【考案が解決しようとする課題】
【０００４】
しかしながら、非特許文献１の３階式折畳キャットケージにあっては、このように各階の左右の柵板が、ヒンジを介して、一括して２つ折れする構造を採用していた。そのため、折り畳んだ状態でも縦長な重ね板材となり、その分だけ大きい保管場所が必要になるとともに、輸送コストも高くなっていた。
【０００５】
そこで、考案者は、鋭意研究の結果、階層式のキャットケージを、各階を構成する部分ケージ毎に折り畳めるように構成すれば、従来品に比べてコンパクトに保管可能で、かつ輸送コストも低減できることを知見し、本考案を完成させた。
また、考案者は、鋭意研究の結果、この部分ケージは、室内で犬やウサギを飼育する際に利用されるペットサークルとしても利用可能であることを知見し、本考案を完成させた。
【０００６】
本考案は、このような問題点に鑑みなされたもので、従来品よりコンパクトに折り畳むことができ、これにより従来品に比べて狭いスペースでの保管が可能で、かつ輸送コストも削減できる階層式折畳ペットケージを提供することを目的としている。
また、本考案は、このペットケージの所定の階部分を構成する部分ケージを、ペットサークルとして利用可能な階層式折畳ペットケージを提供することを目的としている。
【課題を解決するための手段】
【０００７】
請求項１に記載の考案は、底板と、天板と、各階を構成する複数の部分ケージと、隣接するこれらの部分ケージの間に配置された棚板とを備え、前記部分ケージは、前記ペットの出入口に扉が設けられた前柵板と、後柵板と、左柵板と、右柵板との隣接する各端部同士をそれぞれヒンジ連結した矩形状の柵体で、前記左柵板は、横方向の中間位置で折り畳み自在にヒンジ連結された２枚の左柵部分板を有し、前記右柵板は、横方向の中間位置で折り畳み自在にヒンジ連結された２枚の右柵部分板を有し、前記底板、前記天板、前記各部分ケージおよび前記棚板は、それぞれ組立分解可能に連結されたことを特徴とする階層式折畳ペットケージである。
【０００８】
飼育されるペットの種類は限定されない。例えば、猫、犬、ウサギ、モルモット、ネズミ、リス、フェレット、豚、猿、鳥、爬虫類などが挙げられる。
底板、天板、各部分ケージおよび棚板の各素材は任意である。例えば、各種の木、各種のプラスチック、各種の金属などでもよい。
底板および天板は、平板でも柵板でもよい。
【０００９】
各柵板としては、例えば、各種の格子板（縦格子、横格子、井桁格子など）、各種の網板、各種の多孔板（パンチングプレートを含む）などを採用することができる。これらの柵板の一部には、所定の素材からなる透明または不透明な平板部を設けてもよい。
各部分ケージを構成する前柵板に配された扉の素材、形状および大きさは任意である。また、扉の使用数も限定されない。さらに、扉は少なくとも前柵板に設けられていればよく、例えば、後柵板に設けてもよい。
【００１０】
棚板は穴がない一般的な平板でも、ペットが上下階を上り下りするための通行穴が形成されたものでもよい。穴が無い平板を採用すれば、各階毎に別のペットを飼育することができる。この場合、各階の内部空間を縦長な仕切り板を用いて、横方向に並んだ複数の部分空間に区画してもよい。
さらには、底板、天板、各部分ケージおよび棚板を、それぞれ組立分解可能に連結する構造は任意である。例えば、ビス止め構造、ボルトナット構造などを採用してもよい。
【００１１】
また、請求項２に記載の考案は、前記棚板には、前記ペットの上り下り用の通行穴が形成されたことを特徴とする請求項１に記載の階層式折畳ペットケージである。
この通行穴の形状、サイズ、形成位置などは、飼育するペットに応じて適宜決定される。
【００１２】
さらに、請求項３に記載の考案は、前記部分ケージは、ペットサークルとして単体使用可能な構成を有したことを特徴とする請求項１に記載の階層式折畳ペットケージである。
【００１３】
ここでいう“ペットサークルとして単体使用可能な構成”とは、例えば、部屋の床に組み立てたペットサークルを載置したとき、ペットサークルの安定性が良いように、部分ケージの下端面（底面）が平坦に加工されていることなどをいう。また、部分ケージを組み立てた際、それぞれ直線状に付き合わされた２枚の左柵部分板同士と、２枚の右柵部分板同士とをそれぞれボルト連結してもよい。
【００１４】
複数の部分ケージのうち、少なくとも１つがペットサークルとしての単体使用ができればよい。
ペットサークルとしての利用時には、使用中に各左柵部分板および各右柵部分板が、それぞれのヒンジ部分から折れ曲がってペットの飼育空間を狭めないように、例えば、対応する端部同士を、着脱自在にボルト連結してもよい。
【考案の効果】
【００１５】
本考案の階層式折畳ペットケージは、各階を構成する部分ケージ毎に折り畳めるため、ペットケージの折り畳み時、ケージ全体の右柵板と左柵板とが一括して縦長に２つ折れする従来品に比べて、保管スペースのコンパクト化が図れるとともに、輸送コストも低減可能となる。
【００１６】
特に、請求項２に記載の考案によれば、階層式折畳ペットケージの上下階を仕切る棚板に、ペット用の通行穴を形成したため、飼育されるペットが各階を自由に上り下りすることができる。その結果、ペットの運動不足や、ストレス解消を図ることができる。
【００１７】
また、請求項３に記載の考案によれば、必要に応じて部分ケージは、柵を登れない犬やウサギなどのペットを飼育する際に利用されるペットサークルとして、単体使用することができる。また、部分ケージのペットサークルは、不要時にコンパクトに折り畳み、部屋の隅等に保管することができる。
【図面の簡単な説明】
【００１８】
【図１】本考案の実施例１に係る階層式折畳ペットケージの全体斜視図である。
【図２】本考案の実施例１に係る階層式折畳ペットケージの底板と１階用の部分ケージとの連結直前の状態を示す斜視図である。
【図３】本考案の実施例１に係る階層式折畳ペットケージの１階用の部分ケージの折り畳み状態を示す斜視図である。
【図４】本考案の実施例１に係る階層式折畳ペットケージの１階用の部分ケージの上に１枚目の棚板を連結する直前の状態を示す斜視図である。
【図５】本考案の実施例１に係る階層式折畳ペットケージの１枚目の棚板の上に２階用の部分ケージを連結する直前の状態を示す斜視図である。
【図６】本考案の実施例１に係る階層式折畳ペットケージの２階用の部分ケージの上に２枚目の棚板を連結する直前の状態を示す斜視図である。
【図７】本考案の実施例１に係る階層式折畳ペットケージの２枚目の棚板の上に３階用の部分ケージを連結する直前の状態を示す斜視図である。
【図８】本考案の実施例１に係る階層式折畳ペットケージの部分ケージをペットサークルに単体使用した際の状態を示す斜視図である。
【図９】本考案の実施例２に係る階層式折畳ペットケージの部分ケージをペットサークルに単体使用した際の状態を示す斜視図である。
【考案を実施するための形態】
【００１９】
以下、本考案の実施例を具体的に説明する。
【実施例】
【００２０】
図１において、１０は本考案の実施例１に係る３階式折畳キャットケージ（以下、キャットケージ（階層式折畳ペットケージ））で、このキャットケージ１０は、底板１１と、天板１２と、１〜３階を構成する３つの部分ケージ１３Ａ〜１３Ｃと、隣接する部分ケージ１３Ａ〜１３Ｃの間に配置されて、猫（ペット）の上り下り用の通行穴１４が形成された２枚の棚板１５Ａ，１５Ｂとを備えた、縦長な角箱型の檻である。
【００２１】
以下、これらの構成部品を具体的に説明する。
図１および図２に示すように、底板１１は、平面視して横長な矩形状をしたプラスチック製の板材で、その外周部分には矩形枠状の縁部１１ａが突出している。１階用の部分ケージ１３Ａを底板１１に設置する際、この縁部１１ａの内側に１階用の部分ケージ１３Ａの下端部が嵌入される。
天板１２は、平面視して横長な矩形枠状をした木枠１２ａに、横長な井桁格子状の金網１２ｂが展張されたものである。
【００２２】
各部分ケージ１３Ａ〜１３Ｃは、猫の出入口１６に扉１７が設けられた前柵板１８と、後柵板１９と、左柵板２０と、右柵板２１との隣接する各端部同士をそれぞれ上下一対のヒンジＨにより連結した矩形状の柵体である。
【００２３】
前柵板１８は、横長な矩形状をした木枠１８ａを有している。木枠１８ａのうち、左右方向の半分の領域が出入口１６で、その残り半分の領域には、縦長な井桁格子状の金網１８ｂが展張されている。各出入口１６には、縦長な木枠１７ａに井桁格子状の金網１７ｂが展張された、片開式の扉１７が配設されている。各扉１７には、丸落とし方式の留め金２２が取り付けられている。なお、前柵板１８での出入口１６の形成位置は、階により異なる。すなわち、１階用と３階用の部分ケージ１３Ａ，１３Ｃでは左側で、２階用の部分ケージ１３Ｂでは右側である。
後柵板１９は、横長な矩形状の木枠１９ａに、縦長な井桁格子状の金網１９ｂが展張されたものである。
【００２４】
図１〜図３に示すように、左柵板２０は、横方向の中間位置で、上下一対のヒンジＨにより内折れ自在に連結された、前後２枚の左柵部分板２３を有している。各左柵部分板２３は、縦長な矩形状の木枠２３ａに、縦長な井桁格子状の金網２３ｂが展張されたものである。１，２階用の部分ケージ１３Ａ，１３Ｂにおいて、各左柵部分板２３の外側（突き合わせ側とは反対側）の各縦枠材２３ｃは、それぞれの上端部が上側の横枠材２３ｄより若干上方へ突出している。
【００２５】
右柵板２１は、その横方向の中間位置で、上下一対のヒンジＨにより内折れ自在に連結された、前後２枚の右柵部分板２４を有している。各右柵部分板２４は、縦長な矩形状の木枠２４ａに、縦長な井桁格子状の金網２４ｂが展張されたものである。１，２階用の部分ケージ１３Ａ，１３Ｂにおいて、各右柵部分板２４の外側（突き合わせ側とは反対側）の縦枠材２４ｃは、左柵板２０の長尺な縦枠材２３ｃと同じ長さを有している。
したがって、１，２階用の部分ケージ１３Ａ，１３Ｂの上側の４つのコーナーからは、長尺な縦枠材２３ｃ、２４ｃの各上端部がそれぞれ突出している。
【００２６】
各棚板１５Ａ，１５Ｂは、平面視して横長な矩形状をしたプラスチック製の板材で、その外周部分には矩形枠状の縁部１５ａが突出している。２，３階の部分ケージ１３Ｂ，１３Ｃの段積み時、各棚板１５Ａ，１５Ｂの縁部１５ａの内側に、対応する上階用の部分ケージ１３Ｂ，１３Ｃの下端部がそれぞれ嵌入される。
また、各棚板１５Ａ，１５Ｂの各コーナーの裏側（下側）には、合計４つの凹部（図示せず）がそれぞれ形成されている。各凹部には、対応する部分ケージ１３Ａ，１３Ｂの上側の各コーナーから突出した、長尺な各縦枠材２３ｃ、２４ｃの上端部が嵌入される。
【００２７】
上述したように、各棚板１５Ａ，１５Ｂには、通行穴１４がそれぞれ配されている。各通行穴１４は、棚板１５Ａ，１５Ｂの左右の何れか半分の領域に形成された、平面視して矩形状のものである。なお、各棚板１５Ａ，１５Ｂにおける通行穴１４の形成位置は、階によって異なる。すなわち、１階と２階とを仕切る棚板１５Ａでは左側で、２階と３階とを仕切る棚板１５Ｂでは右側である。このように、２，３階を猫が上り下りし易いように、上下２つの通行穴１４は、水平方向に交互に配されている。
【００２８】
次に、図１〜図７を参照して、この実施例１に係る階層式折畳ペットケージ１０の組み立て方法を説明する。
まず、図２および図３に示すように、部分ケージ１３Ａ〜１３Ｃをそれぞれ組み立てる。具体的には、前柵板１８と後柵板１９とを前後方向に離反させることで、折り畳まれていた各左柵板２０と各右柵板２１とがそれぞれ直線的に延びる。これにより、各階用の部分ケージ１３Ａ〜１３Ｃが展開されて、これらの組み立てが完了する。
その後、この展開状態の１階用の部分ケージ１３Ａの下端部を、部屋の床に置かれた底板１１に固定する。具体的には、底板１１の縁部１１ａの内側に、１階用の部分ケージ１３Ａの下端部を嵌入する。嵌入後は、１階用の部分ケージ１３Ａの各柵板１８〜２１の各下側の横枠材１８ｃ、１９ｃ、２３ｄ、２４ｄを、底板１１の外周部にそれぞれボルトＢにより連結する。
【００２９】
次いで、図４に示すように、１階用の部分ケージ１３Ａの上に、通行穴１４を左側に配した状態で、２階の床となる１枚目の棚板１５Ａをビスｂにより止める。このとき、棚板１５Ａの各コーナーの裏側に配された各凹部に、１階用の部分ケージ１３Ａの上側の各コーナーから突出した、長尺な各縦枠材２３ｃ、２４ｃの上端部を嵌入する。これにより、１階用の部分ケージ１３Ａは、底板１１と１枚目の棚板１５Ａとの間で、展開状態で固定される。
その後、図５に示すように、１枚目の棚板１５Ａの上に、２段目の部分ケージ１３Ｂを段積みする。具体的には、１枚目の棚板１５Ａの矩形枠状の縁部１５ａの内側に、展開された２階用の部分ケージ１３Ｂの下端部を嵌入する。段積み後は、２段目の部分ケージ１３Ｂの各柵板１８〜２１の各下側の横枠材１８ｃ、１９ｃ、２３ｄ、２４ｄを、１枚目の棚板１５Ａの外周部にそれぞれボルトＢにより連結する。
【００３０】
次いで、図６に示すように、２階用の部分ケージ１３Ｂの上に、通行穴１４を右側に配した状態で、３階の床となる２枚目の棚板１５Ｂをビスｂにより止める。このとき、２枚目の棚板１５Ｂの各コーナーの裏側に配された各凹部に、２階用の部分ケージ１３Ｂの上側の各コーナーから突出した、長尺な各縦枠材２３ｃ、２４ｃの上端部を嵌入する。これにより、２階用の部分ケージ１３Ｂは、上下２枚の棚板１５Ａ、１５Ｂの間で、展開状態で固定される。
【００３１】
その後、図７に示すように、２枚目の棚板１５Ｂの上に、３段目の部分ケージ１３Ｃを段積みする。具体的には、この２枚目の棚板１５Ｂの矩形枠状の縁部１５ａの内側に、展開された３階用の部分ケージ１３Ｃの下端部を嵌入する。このとき、３階用の部分ケージ１３Ｃの上には、天板１２がボルトＢにより連結されているものとする。段積み後は、部分ケージ１３Ｃの各柵板１８〜２１の各下側の横枠材１８ｃ、１９ｃ、２３ｄ、２４ｄを、２枚目の棚板１５Ｂの外周部にそれぞれボルトＢにより連結する。キャットケージ１０は、このようにして組み立てられる。
【００３２】
このように、キャットケージ１０は、部分ケージ１３Ａ〜１３Ｃ毎に折り畳めるように構成したため、キャットケージの折り畳み時、ケージ全体の右柵板と左柵板とが一括して縦長に２つ折れする従来品に比べて、保管スペースのコンパクト化が図れるとともに、輸送コストも低減可能となる。
また、キャットケージ１０の上下階を仕切る棚板１５Ａ，１５Ｂに、猫の通行穴１４を形成したため、飼育される猫が各階を自由に上り下りすることができる。その結果、猫の運動不足や、ストレス解消を図ることができる。
【００３３】
キャットケージ１０を分解する際には、上述した手順を反対に行えばよい。
また、ここでは３階式折畳キャットケージ１０について説明したが、例えば２階式折畳キャットケージを採用する場合には、２枚目の棚板１５Ｂに代えて、２階用の部分ケージ１３Ｂの上に天板１２をボルトＢにより連結すればよい。
この場合、３階用の部分ケージ１３Ｃが不要となるため、これを犬やウサギといった柵を登れないペットを室内飼いするときのペットサークルＡとして、単体で使用することもできる（図８を参照）。なお、ペットサークルＡは、コンパクトに折り畳み、部屋の隅などに保管することが可能である。
【００３４】
次に、図９を参照して、本考案の実施例２に係る階層式折畳ペットケージを説明する。
この実施例２の階層式折畳ペットケージ１０Ａの特徴は、実施例１の横長な矩形状の木枠１８ａによって周囲が閉鎖された出入口１６に、扉１７を取り付けた最上段の部分ケージ１３Ｃに代えて、この木枠１８ａのうち、上側の横枠材１８ｄの一部を切欠し、これにより上部が開放された出入口１６Ａに、扉１７Ａを取り付けた部分ケージ１３Ｄを採用した点である。
【００３５】
図９では、この部分ケージ１３Ｄを、ペットサークルＡ１として単体使用している。
このように、ペットサークルＡ１の出入口１６Ａの上部が解放されているため、使用者がペットサークルＡ１を出入りする際、その移動が容易となる。
その他の構成、作用および効果は、実施例１と略同じであるため、説明を省略する。
【産業上の利用可能性】
【００３６】
本考案は、折り畳みが可能な２階建て以上のペットケージの技術として有用である。
【符号の説明】
【００３７】
１０，１０Ａ  ３階式折畳キャットケージ（階層式折畳ペットケージ）
１１  底板
１２  天板
１３Ａ〜１３Ｄ  部分ケージ
１４  通行穴
１５Ａ，１５Ｂ  棚板
１６，１６Ａ  出入口
１７，１７Ａ  扉
１８  前柵板
１９  後柵板
２０  左柵板
２１  右柵板
２３  左柵部分板
２４  右柵部分板
Ａ，Ａ１  ペットサークル
Ｈ  ヒンジ
【図１】
0003217349.tif 000003
【図２】
0003217349.tif 000004
【図３】
0003217349.tif 000005
【図４】
0003217349.tif 000006
【図５】
0003217349.tif 000007
【図６】
0003217349.tif 000008
【図７】
0003217349.tif 000009
【図８】
0003217349.tif 000010
【図９】
0003217349.tif 000011